(57)【要約】【課題】食券，商品等をスムースに発給することができる自動販売機を提供すること。【解決手段】ケース１の前面に、各種商品２及びそれらの値段３を並べて表示した表示部Ａを備え、金銭を投入して前記表示部Ａから商品を選択することにより、対応する商品又は食券を発給する自動販売機において、前記表示部Ａと商品のレイアウトを同じくする副表示部Ｂを、商品又は食券を現在求めている人の位置の後方から視認できる位置に配置したことを特徴としている。【選択図】　　　　図１
2004078400.tif 000002
【特許請求の範囲】
【請求項１】
ケースの前面に、各種商品及びそれらの値段を並べて表示した表示部を備え、金銭を投入して前記表示部から商品を選択することにより、対応する商品又は食券を発給する自動販売機において、前記表示部と商品のレイアウトを同じくする副表示部を、商品又は食券を現在求めている人の位置の後方から視認できる位置に配置したことを特徴とする自動販売機。
【請求項２】
前記副表示部に料金投入口及び投入可能金種を表示させたことを特徴とする請求項１に記載の自動販売機。
【請求項３】
前記副表示部に纏め買い用ボタンを表示させたことを特徴とする請求項１又は２に記載の自動販売機。
【請求項４】
前記副表示部を前記ケースの上部に配置したことを特徴とする請求項１、２又は３のいずれかに記載の自動販売機。
【請求項５】
前記副表示部を前記ケースの付近に配置したことを特徴とする請求項１、２又は３のいずれかに記載の自動販売機。
【請求項６】
ケースの前面に、各種商品及びそれらの値段を並べて表示した表示部を備え、金銭を投入して前記表示部から商品を選択することにより、対応する商品又は食券を発給する自動販売機において、前記ケースに、商品又は食券を現在求めている人からその後方にいる人を視認できる位置にミラーを設置したことを特徴とする自動販売機。
【発明の詳細な説明】
【０００１】
【発明の属する技術分野】
本発明は、自動販売機に関するものである。
【０００２】
【従来の技術】
飲食店等に設置されている食券自動販売機は、ケース前面の目の高さに、商品又は商品名が表示され、それらの商品又は商品名に対応させて操作ボタンが設置されている。そして、客が金銭投入口から金銭を投入し、所望とする商品の操作ボタンを操作することによって食券が発給される。
また、缶ジュース等の自動販売機は、ケース前面の目の高さに、商品が展示され、それらの商品に対応させて操作ボタンが設置されている。そして、客が金銭投入口から金銭を投入し、所望とする商品の操作ボタンを操作することによって商品が発給される。
【０００３】
【発明が解決しようとする課題】
ところで、飲食店における昼食時，イベント会場におけるイベント休憩時等の短時間に客が自動販売機に集中する場合には、自動販売機に列ができ、食券又は商品を手に入れるのに時間がかかり、待っている客を不愉快にさせてしまう。
特に飲食店の場合には、店頭が混雑してしまい、他の客の邪魔になるばかりでなく、料理供給の効率低下の要因にもなってしまう。
【０００４】
そこで、本発明の目的は、食券，商品等をスムースに発給することができる自動販売機を提供することにある。
【０００５】
【課題を解決するための手段】
本発明者は、自動販売機での混雑状況を観察したところ、客が商品の選択に多くの時間を費やしていることを知見し、商品の選択が速やかに行えるようにすることによって、食券，商品等の発給効率を向上させるに至った。
【０００６】
即ち、本発明の自動販売機では、ケースの前面に、各種商品及びそれらの値段を並べて表示した表示部を備え、金銭を投入して前記表示部から商品を選択することにより、対応する商品又は食券を発給する自動販売機において、前記表示部と商品のレイアウトを同じくする副表示部を、商品又は食券を現在求めている人の位置の後方から視認できる位置に配置したことを特徴としている。
この発明によれば、後ろに続く客が、副表示部で商品，値段及び操作ボタンの位置を予め確認でき、また必要な金額を予め用意することができる。
【０００７】
この発明においては、さらに、前記副表示部に料金投入口及び投入可能金種を表示したり、前記パネルに纏め買い用ボタンを表示すれば、よりこの副表示部がケースの前面に存在する各種商品及びそれらの値段を並べて表示した表示部と同一のレイアウトを示すのもであることを認識させ易く、またこの表示された料金投入口等の位置をも予め確認できるものと成るために好ましい。
【０００８】
また、この発明においては、前記副表示部をパネルによって形成し、該パネルを前記ケースの上部に立設させてもよく、また前記副表示部をパネルによって形成しケースの付近に配置したり、前記副表示部を紙に印刷して形成し、それをケースの付近に配置してもよい。
【０００９】
また、本発明の自動販売機では、ケースの前面に、各種商品及びそれらの値段を並べて表示した表示部を備え、金銭を投入して前記表示部から商品を選択することにより、対応する商品又は食券を発給する自動販売機において、前記ケースに、商品又は食券を現在求めている人からその後方にいる人を視認できる位置にミラーを設置したことを特徴としている。
この発明によれば、後ろに待っている人がいるのを確認させることができ、操作が促され、結果として、自動販売機の操作時間が短縮される。
【００１０】
【発明の実施の形態】
以下に、本発明に係る自動販売機を、図面に示した実施の形態に基づいて説明する。
【００１１】
図１は本発明に係る自動販売機として、食券自動販売機を示している。
【００１２】
この自動販売機は、ケース１の前面における目の高さに、各種料理２（２ａ、２ｂ、２ｃ，・・・）を表示し、さらにそれらの値段３（３ａ，３ｂ，３ｃ，・・・）を表示した操作ボタン４（４ａ，４ｂ，４ｃ，・・・）が並べて配置され、表示部Ａを構成している。
また、それらの操作ボタン４の上方に、向かって左側から纏め買いボタン５，コイン投入口６，札挿入口７がそれぞれ配置されている。
【００１３】
さらに、この自動販売機には、ケース１の前面の上端にパネル８が設置されている。このパネル８には、表示部Ａ、即ち料理２ａ、２ｂ、２ｃ，・・・が表示され、それらの値段３ａ，３ｂ，３ｃ，・・・が表示された操作ボタン４ａ，４ｂ，４ｃ・・・とレイアウトを同じくする絵，写真等、即ち副表示部Ｂが表示されている。
また、ケース１の前面には、纏め買いボタン５の上方にミラー９が設置されている。
【００１４】
この自動販売機では、食券を購入しようとする客が、操作ボタン４ａ，４ｂ，４ｃ，・・・から所望とする料理２を選択し、コイン投入口６又は札挿入口７から必要金額以上の金銭を投入した後に、選択した操作ボタン４、例えば４ａを操作することによって食券を得る。
【００１５】
その際、この自動販売機では、食券を現在購入しようとしている人の後ろに並んでいる人が、パネル８に表示されている料理２を見ることによって、予め料理２を選択することができ、また値段３を確認することができ、さらに、その選択した料理２を購入するための操作ボタン４の位置を確認することができる。
【００１６】
したがって、食券を購入する際に、予め用意した金銭をコイン投入口６又は札挿入口７から投入するとともに、予め選択した料理２の位置の操作ボタン４を迷うことなく迅速に操作することができる。
【００１７】
また、この自動販売機では、ミラー９によって、後方に待機している人の確認が行える。したがって、操作を迅速にすることによって、待機している人に配慮することができる。
【００１８】
なお、上記実施の形態では、料理２及び値段３を表示したパネル８、即ち副表示部Ｂをケース１の天井部に立設しているが、パネル８をケース１の付近、例えば並んでいる人の列の脇の壁面等に掲げてもよい。
また、副表示部Ｂとして、パネル８を使用することなく料理２及び値段３を紙に表示し、それをケース１の上部に貼設してもよく、料理２及び値段３を表示する副表示部Ｂとして液晶ディスプレイであってもよい。要は商品等を表示した副表示部を構成するものであればよい。
【００１９】
また、上記実施の形態では、ミラー９を纏め買いボタン５の上方に設置しているが、ミラー９の位置は、後方が容易に確認できる位置であれば、何処でもよい。また、ミラー９は平面鏡でもよいが、凸面鏡にした場合には、より広範囲を見ることができるので、好ましい。
【００２０】
また、上記実施の形態では、食券の自動販売機を例示したが、本発明は、食券に限らず他の券類の自動販売機にも適用でき、缶ジュース等の商品を直接発給する自動販売機にも適用できることは勿論である。
【００２１】
【発明の効果】
以上説明したように、本発明の自動販売機によれば、後に続く客が、副表示部の商品，値段及び操作ボタンの位置を予め確認でき、必要な金額を予め用意することができる。
したがって、自分の番になった際に、商品等の選択，金銭の投入等の操作がスムースに行え、結果として食券，商品等の購入操作の短縮が図れる。
【００２２】
また、本発明の自動販売機によれば、ケースに設置されたミラーによって、商品又は食券を現在求めている人がその後方にいる人を視認できるため、操作が促され、結果として、自動販売機の操作時間の短縮が図られる。
【図面の簡単な説明】
【図１】本発明に係る自動販売機として、食券自動販売機を示した概念的な斜視図である。
【符号の説明】
１　　　ケース
２，２ａ，２ｂ，２ｃ，・・・　　　料理
３，３ａ，３ｂ，３ｃ，・・・　　　値段
４，４ａ，４ｂ，４ｃ，・・・　　　操作ボタン
５　　　纏め買いボタン
６　　　コイン投入口
７　　　札挿入口
８　　　パネル
９　　　ミラー
Ａ　　　表示部
Ｂ　　　副表示部
【図１】
2004078400.tif 000003